【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
被写体像を光学式ビューファインダへと導くために撮像光学系の光路内に対して進退自在に配設される可動ミラーを有するデジタルカメラであって、
前記撮像光学系で形成された被写体像を撮像して画像データを生成する撮像素子と、
前記撮像素子で生成された画像データ又はその画像データに所定の処理を施した画像データを表示する表示部と、
リモートコントローラからの制御信号を受信する受信部と、
前記撮像素子で生成された画像データ又はその画像データに所定の処理を施した画像データを、リアルタイムで動画像として前記表示部に表示するよう制御するライブビューモードを有する制御部と、を備え、
前記制御部は、
前記受信部が前記リモートコントローラからの制御信号を受信すると、ライブビューモードに移行するよう制御する、
デジタルカメラ。
【請求項２】
自装置の制御に関するユーザからの指示を受け付ける操作部と、
前記撮像素子による記録用画像の撮像開始についてユーザからの指示を受け付けるレリーズ部と、をさらに備え、
前記制御部は、
ライブビューモードに移行した後、前記操作部または前記レリーズ部が操作されたか否かを監視し、前記操作部または前記レリーズ部が操作されると、前記受信部が前記リモートコントローラからの制御信号を受信してライブビューモードに移行する前の状態に戻るよう制御する、
請求項１に記載のデジタルカメラ。
【請求項３】
被写体像を光学式ビューファインダへと導くために撮像光学系の光路内に対して進退自在に配設される可動ミラーを有し、交換レンズを着脱可能なカメラボディであって、
前記撮像光学系で形成された被写体像を撮像して画像データを生成する撮像素子と、
前記撮像素子で生成された画像データ又はその画像データに所定の処理を施した画像データを表示する表示部と、
リモートコントローラからの制御信号を受信する受信部と、
前記撮像素子で生成された画像データ又はその画像データに所定の処理を施した画像データを、リアルタイムで動画像として前記表示部に表示するよう制御するライブビューモードを有する制御部と、を備え、
前記制御部は、
前記受信部が前記リモートコントローラからの制御信号を受信すると、ライブビューモードに移行するよう制御する、
カメラボディ。
【請求項４】
自装置の制御に関するユーザからの指示を受け付ける操作部と、
前記撮像素子による記録用画像の撮像開始についてユーザからの指示を受け付けるレリーズ部と、をさらに備え、
前記制御部は、
ライブビューモードに移行した後、前記操作部または前記レリーズ部が操作されたか否かを監視し、前記操作部または前記レリーズ部が操作されると、前記受信部が前記リモートコントローラからの制御信号を受信してライブビューモードに移行する前の状態に戻るよう制御する、
請求項３に記載のカメラボディ。
【請求項５】
請求項３または４に記載のカメラボディと交換レンズとからなる、カメラシステム。
【請求項６】
被写体像を光学式ビューファインダへと導くために撮像光学系の光路内に対して進退自在に配設される可動ミラーを有するデジタルカメラの制御方法であって、
リモートコントローラからの制御信号を受信し、
前記リモートコントローラからの制御信号の受信に応じて、前記可動ミラーを前記撮像光学系の光路から退避させて、前記撮像光学系で形成された被写体像を撮像して画像データを生成し、前記生成された画像データ又はその画像データに所定の処理を施した画像データをリアルタイムで動画像として表示するライブビューモードに移行する、
デジタルカメラの制御方法。
【請求項７】
前記デジタルカメラは、
自装置の制御に関するユーザからの指示を受け付ける操作部と、
前記撮像素子による記録用画像の撮像開始についてユーザからの指示を受け付けるレリーズ部と、をさらに備え、
ライブビューモードに移行した後、前記操作部または前記レリーズ部が操作されたか否かを監視し、
前記操作部または前記レリーズ部が操作されると、前記受信部が前記リモートコントローラからの制御信号を受信してライブビューモードに移行する前の状態に戻る、
請求項６に記載のデジタルカメラの制御方法。
【手続補正２】
【補正対象書類名】明細書
【補正対象項目名】発明の名称
【補正方法】変更
【補正の内容】
【発明の名称】デジタルカメラ、カメラボディ、カメラシステム、デジタルカメラの制御方法
【手続補正３】
【補正対象書類名】明細書
【補正対象項目名】０００６
【補正方法】変更
【補正の内容】
【０００６】
そこで、本発明は、可動ミラーを含むとともに被写体像を電子ビューファインダでライブビュー表示する際に、その操作性を向上することを目的とする。
【手続補正４】
【補正対象書類名】明細書
【補正対象項目名】０００７
【補正方法】変更
【補正の内容】
【０００７】
本発明のデジタルカメラは、被写体像を光学式ビューファインダへと導くために撮像光学系の光路内に対して進退自在に配設される可動ミラーを有するデジタルカメラであって、前記撮像光学系で形成された被写体像を撮像して画像データを生成する撮像素子と、前記撮像素子で生成された画像データ又はその画像データに所定の処理を施した画像データを表示する表示部と、リモートコントローラからの制御信号を受信する受信部と、前記撮像素子で生成された画像データ又はその画像データに所定の処理を施した画像データを、リアルタイムで動画像として前記表示部に表示するよう制御するライブビューモードを有する制御部と、を備え、前記制御部は、前記受信部が前記リモートコントローラからの制御信号を受信すると、ライブビューモードに移行するよう制御する。
【手続補正５】
【補正対象書類名】明細書
【補正対象項目名】０００９
【補正方法】変更
【補正の内容】
【０００９】
本発明のカメラボディは、被写体像を光学式ビューファインダへと導くために撮像光学系の光路内に対して進退自在に配設される可動ミラーを有し、交換レンズを着脱可能なカメラボディであって、前記撮像光学系で形成された被写体像を撮像して画像データを生成する撮像素子と、前記撮像素子で生成された画像データ又はその画像データに所定の処理を施した画像データを表示する表示部と、リモートコントローラからの制御信号を受信する受信部と、前記撮像素子で生成された画像データ又はその画像データに所定の処理を施した画像データを、リアルタイムで動画像として前記表示部に表示するよう制御するライブビューモードを有する制御部と、を備え、前記制御部は、前記受信部が前記リモートコントローラからの制御信号を受信すると、ライブビューモードに移行するよう制御する。
【手続補正６】
【補正対象書類名】明細書
【補正対象項目名】００１０
【補正方法】変更
【補正の内容】
【００１０】
本発明のカメラシステムは、上記カメラボディと交換レンズとからなる。
【手続補正７】
【補正対象書類名】明細書
【補正対象項目名】００１１
【補正方法】変更
【補正の内容】
【００１１】
本発明のデジタルカメラの制御方法は、被写体像を光学式ビューファインダへと導くために撮像光学系の光路内に対して進退自在に配設される可動ミラーを有するデジタルカメラの制御方法であって、リモートコントローラからの制御信号を受信し、前記リモートコントローラからの制御信号の受信に応じて、前記可動ミラーを前記撮像光学系の光路から退避させて、前記撮像光学系で形成された被写体像を撮像して画像データを生成し、前記生成された画像データ又はその画像データに所定の処理を施した画像データをリアルタイムで動画像として表示するライブビューモードに移行する、
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、可動ミラーを含むとともに被写体像を電子ビューファインダでライブビュー表示する際に、その操作性を向上させることができる。